(57)【要約】【課題】２つの回路基板を有する電子制御装置を小型化する。【解決手段】電子制御装置１は、収容ケース２内に第１の回路基板１０と第２の回路基板１１が上下に一部が重なり合うように収容されている。下側の第１の回路基板１０は、背の高い電子部品３２と背の低い電子部品３３が実装されている。２つの回路基板１０，１１が重なる領域には、背の低い電子部品３３が配置され、２つの回路基板１０，１１が重ならない領域には、背の高い電子部品３２が配置される。２つの回路基板１０，１１の間隔を狭くできるので、電子制御装置１を小型化できる。【選択図】図３
2014086671.tif 000002
【特許請求の範囲】
【請求項１】
少なくとも一端に開口部を備える収容ケースと、
外部機器と接続可能なコネクタと電子部品がそれぞれ実装された第１の回路基板及び第２の回路基板と、
前記第１の回路基板に実装された第１のコネクタと前記第２の回路基板に実装された第２のコネクタとを前記収容ケースから同一の方向に、かつ平行に突出させた電子制御装置において、
前記第１の回路基板の前記第１のコネクタと前記第２の回路基板の前記第２のコネクタとを近接させ、
前記第１の回路基板と前記第２の回路基板とを所定の間隔を有して重なるように配置し、前記第１の回路基板と前記第２の回路基板とが重なる領域に低背の電子部品を実装したことを特徴とする車両用電子制御装置。
【請求項２】
前記第１の回路基板と前記第２の回路基板とが重なる領域を避けて前記収容ケースに凹部を形成したことを特徴とする請求項１に記載の電子制御装置。
【請求項３】
前記第２の回路基板は、前記第１のコネクタを避ける切り欠き部を有することを特徴とする請求項１又は請求項２に記載の車両用電子制御装置。
【請求項４】
前記低背の電子部品には、発熱部品が含まれ、前記第１の回路基板には複数の前記発熱部品が並べて配置されると共に、複数の前記発熱部材の間に、バスバーが実装されており、前記バスバーは前記第１のコネクタに向かって延びていることを特徴とする請求項１から請求項３のいずれか一項に記載の車両用電子制御装置。
【発明の詳細な説明】
【技術分野】
【０００１】
本発明は、車両用電子制御装置に関する。
【背景技術】
【０００２】
車両の電子制御装置には、収容ケース内に２枚の回路基板が配置され、その各々に外部機器と電気的に接続されるコネクタが１つずつ取り付けられたものがある。２つのコネクタは、収容ケースから同じ方向に突出するように配置されており、各コネクタに外部ハーネスを接続したときに、配線を一箇所に集中できるようになっている。さらに、２枚の回路基板は、大きさが異なるものが使用され、収容ケース内では上下に配置されている（例えば、特許文献１参照）。ここで、従来の電子制御装置では、２つの回路基板のそれぞれに互いに連結させるための接続用コネクタが１つずつ実装されており、接続用コネクタ同士を結合させることによって、上下に配置された２枚の回路基板の向きや、配置間隔、平行度が保たれるように支持されている。さらに、接続用コネクタは、２つの回路基板を電気的に接続する役割も担っている。
【０００３】
電子制御装置を製造するときは、最初に２つの回路基板を接続用コネクタを用いて連結させ、その後に２つの回路基板を収容ケース内に挿入する。収容ケースの内壁の側部には、ガイド溝が刻まれており、ガイド溝にサイズが大きい方の回路基板が係合させられる。サイズが小さい方の回路基板は、収容ケースの前面側の角部にネジで固定される。
【先行技術文献】
【特許文献】
【０００４】
【特許文献１】特開２００４−２３５４４４号公報
【発明の概要】
【発明が解決しようとする課題】
【０００５】
ここで、鞍乗り型車両、例えば自動二輪車や、モペット、ＡＴＶ（All Terrain Vehicle：全地形型車両）や、スクーターなどでは、四輪自動車に比べて電子制御装置の搭載スペースが狭い。このために、電子制御装置をさらに小型化することが望まれていた。
本発明は、このような事情を鑑みてなされたものであり、２つの回路基板を有する電子制御装置を小型化することを目的とする。
【課題を解決するための手段】
【０００６】
本願によれば、少なくとも一端に開口部を備える収容ケースと、外部機器と接続可能なコネクタと電子部品がそれぞれ実装された第１の回路基板及び第２の回路基板と、前記第１の回路基板に実装された第１のコネクタと前記第２の回路基板に実装された第２のコネクタとを前記収容ケースから同一の方向に、かつ平行に突出させた電子制御装置において、前記第１の回路基板の前記第１のコネクタと前記第２の回路基板の前記第２のコネクタとを近接させ、前記第１の回路基板と前記第２の回路基板とを所定の間隔を有して重なるように配置し、前記第１の回路基板と前記第２の回路基板とが重なる領域に低背の電子部品を実装したことを特徴とする車両用電子制御装置が提供される。
【０００７】
また、本発明によれば、前記第１の回路基板と前記第２の回路基板とが重なる領域を避けて前記収容ケースに凹部を形成したことを特徴とする請求項１に記載の電子制御装置が提供される。
【０００８】
また、本発明によれば、前記第２の回路基板は、前記第１のコネクタを避ける切り欠き
部を有することを特徴とする請求項１又は請求項２に記載の車両用電子制御装置が提供される。
【０００９】
また、本発明によれば、前記低背の電子部品には、発熱部品が含まれ、前記第１の回路基板には複数の前記発熱部品が並べて配置されると共に、複数の前記発熱部材の間に、バスバーが実装されており、前記バスバーは前記第１のコネクタに向かって延びていることを特徴とする請求項１から請求項３のいずれか一項に記載の車両用電子制御装置が提供される。
【発明の効果】
【００１０】
本発明によれば、２つの回路基板の間隔を狭くできるので、電子制御装置を小型化できる。
【図面の簡単な説明】
【００１１】
【図１】図１は、本発明の実施の形態に係る車両用電子制御装置を上方からみた斜視図である。
【図２】図２は、本発明の実施の形態に係る車両用電子制御装置を下方からみた斜視図である。
【図３】図３は、本発明の実施の形態に係る車両用電子制御装置であって、図１のＡ矢視図であり、樹脂を注入する前の状態を示す正面図である。
【図４】図４は、本発明の実施の形態に係る車両用電子制御装置の分解斜視図である。
【発明を実施するための最良の形態】
【００１２】
本発明を実施するための形態について以下に詳細に説明する。
図１に電子制御装置の斜視図を示す。電子制御装置１は、樹脂製の収容ケース２を有する。収容ケース２は、前面に開口部２Ａを有し、背面２Ｂが閉鎖された中空構造を有し、開口部２Ａからは、２つのコネクタ３，４が突出している。第１、第２のコネクタ３，４は、収容ケース２から同じ方向に向けて、かつ近接して略平行に配置されており、それぞれが外部の機器に接続される外部ハーネスが結合可能な形状を有する。さらに、収容ケース２の内部空間には、樹脂５が充填されている。
【００１３】
また、収容ケース２の上面２Ｃには、第１の窪み部６が収容ケース２の中心から一方の側面２Ｅ側にオフセットさせた位置に形成されている。第１の窪み部６は、収容ケース２の背面２Ｂ側から、収容ケース２の前面の開口部２Ａの手前まで、側面２Ｅに略平行に、かつ細長に延びている。さらに、図２に電子制御装置１を下側から見た斜視図を示すように、収容ケース２の下面２Ｄには、第２の窪み部７が、収容ケース２の中心から他方の側面２Ｆ側のオフセットさせた位置に形成されている。第２の窪み部７は、収容ケース２の背面２Ｂから側面２Ｅに略平行に、前面の開口部２Ａの近傍まで延びている。第２の窪み部７には、複数のリブ８が収容ケース２の側面と略平行に形成されている。第１の窪み部６と第２の窪み部７とは、収容ケース２の中心に対して左右方向に振り分けて１つずつ形成されており、２つの窪み部６，７が干渉することはない。
【００１４】
さらに、図３に樹脂５を充填する前の図１のＡ矢視図を示す。収容ケース２内には、下側に、面積が大きい第１の回路基板１０が配置され、上側に面積が相対的に小さい第２の回路基板１１が平行に配置されている。２つの回路基板１０，１１は、上下方向に所定の間隔を持ちつつ、一部が上下方向で重なり合うように配置されている。
【００１５】
ここで、収容ケース２の一方の側面２Ｅの内側壁には、一対のレール２１が形成されている。同様に、第２の窪み部７によって形成された内側壁７Ａには、一対のレール２２が
形成されている。これらレール２１，２２は、下面２Ｄから高さが同じになる位置に、かつ収容ケース２の前面の開口部２Ａの近傍から背面２Ｂに至るまで形成されている。さらに、一対のレール２１同士、及びレール２２同士は、それぞれが第１の回路基板１０の側部に係合可能な隙間を有して配置されており、第１の回路基板１０をレール２１，２２に沿って挿入することで、第１の回路基板１０を収容ケース２内に位置決めして収容することができる。
【００１６】
また、収容ケース２の他方の側面２Ｆの内側壁には、一対のレール２４が収容ケース２の前面の開口部２Ａの近傍から背面２Ｂに至るまで形成されている。さらに、収容ケース２の背面２Ｂの内側壁には、一対のレール２５が形成されている。これらレール２４，２５は、下面２Ｄから高さが同じになる位置に形成されている。さらに、一対のレール２４同士、及びレール２５同士は、それぞれが第２の回路基板１１の側部と背面部に係合可能な隙間を有して配置されており、第２の回路基板１１をレール２４に沿って挿入し、かつレール２５に係合させることによって、第２の回路基板１１を収容ケース２内に位置決めして収容することができる。
【００１７】
そして、収容ケース２の内部には、２つの窪み部６，７を繋ぐように遮熱板１５が形成されている。遮熱板１５は、第１の回路基板１０と第２の回路基板１１の間に配置され、２つの回路基板１０，１１の配置スペースを仕切る間仕切り板としても機能している。
【００１８】
図４に示すように、第１の回路基板１０は、前面側に第１のコネクタ３が実装されており、その他の領域にはコンデンサや、ＦＥＴ（Field effect transistor）などの電子部品３１が実装されている。このような第１の回路基板１０の用途としては、例えば、モータなどの駆動回路がある。
【００１９】
ここで、第１の回路基板１０に実装されている電子部品のうち、電界コンデンサなどの背の高い電子部品３２は、第２の回路基板１１から離れた位置に実装されている。より詳細には、第１の回路基板１０の左側、即ち収容ケース２の側面２Ｆ側で、収容ケース２の第１の窪み部６を避ける位置に、背の高い電子部品３２が実装されている。一方、第１の回路基板１０のその他の領域、特に第１の回路基板１１と重なる領域には、背の低い電子部品３３が実装されている。背の低い電子部品３３としては、例えば、ＦＥＴや、背の低い抵抗やコンデンサなどのチップ部品、ＣＰＵ（Central Processing Unit）、ＩＣ（Integrated Circuit）などがあげられる。
【００２０】
さらに、第１の回路基板１０には、背の低い電子部品３３に電気的に接続される２本のバスバー３５が複数の電子部品３３の間、例えば中心を通るように実装されている。バスバー３５は、電子部品３３で発生した熱を放出するように、複数の背の低い電子部品３３の間を通って、第１のコネクタ３に向けて延びている。さらに、バスバー３５の先端部分３５Ａは、外部に熱を放出し易いように、第１のコネクタ３の直前で折り曲げられている。
【００２１】
第２の回路基板１１は、前方に第２のコネクタ４が実装されており、その他の領域にはコンデンサや、ＦＥＴ（Field effect transistor）、その他の電子部品４１が実装されている。第２の回路基板１１の用途としては、例えば、燃料噴射装置の駆動回路がある。
【００２２】
ここで、第２の回路基板１１は、前面側に第１のコネクタ３を避けるように切り欠き部１１Ａが形成されている。そして、第１の回路基板１０に取り付けられている第１のコネクタ３の側部３Ａに形成された一対のレール２６に支持されている。即ち、第２の回路基板１１は、収容ケース２側のレール２４，２５と、第１のコネクタ３のレール２６によって位置決めして支持されている。
【００２３】
このために、第１のコネクタ３と第２の回路基板１１とは接触するか、公差を許容する間隙（例えば、１ｍｍ程度）で配置される。これによって、第１のコネクタ３と第２のコネクタ４は、所定の間隙を有しつつ、近接して配置される。
【００２４】
電子制御装置１を製造するときは、最初に、第１の回路基板１０に実装した第１のコネクタ３の一対のレール２５に、第２の回路基板１１の切り欠き部１１Ａを係合させる。続いて、樹脂成型した収容ケース２内に２つの回路基板１０，１１を挿入する。各回路基板１０，１１は、収容ケース２に形成されたレール２１〜２５にガイドされながら所定の位置に導かれる。各レール２１〜２４の先端部分には、回路基板１０，１１を受け入れ易いように不図示のテーパが形成されているので、回路基板１０，１１を容易に挿入することができる。
【００２５】
これによって、第１の回路基板１０は、収容ケース２の下面２Ｄに沿って配置され、第１の窪み部６を避けるように、各電子部品３１が配置される。一方、第２の回路基板１１は、収容ケース２内で、第２の窪み部７による凸部の上方に主に配置され、一部が第１の回路基板１０の上方に重なるように配置される。このとき、第１の回路基板１０上の一部の背の低い電子部品３３の上方に第２の回路基板１１が配置されるが、両者の間には隙間があるので干渉することはない。各回路基板１０，１１が収容ケース２に収容されたら、樹脂５を収容ケース２内に充填し、隙間を埋めてから硬化させる。
【００２６】
以上、説明したように、この実施形態の電子制御装置１では、第１のコネクタ３に第２の回路基板１１を近接して配置させたので、２つのコネクタ３，４を同じ方向に近接して配置することができる。これによって、収容ケース２の幅を減少させることが可能になり、電子制御装置１を小型化できる。
【００２７】
また、２つの回路基板１０，１１を上下に重なって配置することによって、収容ケース２の幅を減少できる。さらに、２つの回路基板１０，１１が重なり合う領域に低背の電子部品３３を配置したので、２つの回路基板１０，１１の間の上下方向の間隔を小さくできる。電子制御装置１の高さを低くできるので、電子制御装置１が小型化される。
【００２８】
また、収容ケース２に第１の窪み部６と、第２の窪み部７を形成したので、収容ケース２の内部空間の体積を減少できる。収容ケース２のサイズを小さくすることと、収容ケース２の内部空間の体積を小さくすることによって、樹脂５の量を削減できるので、コストの低減や電子制御装置１の軽量化が図れる。また、樹脂５の量を削減することによって、樹脂５の硬化時間が短くなり、電子制御装置１の製造時間を短縮できる。さらに、窪み部６，７の近傍に配置された電子部品３１，４１で発生した熱を効率良く外気に放出することができるので、電子部品３１，４１を冷却し易くなる。
【００２９】
また、第２の回路基板１１を第１のコネクタ３を避けて延びるように配置したので、第２の回路基板１１の実装面積を大きくすることができる。
【００３０】
さらに、複数の低背の電子部品３３の間にバスバー３５を通し、バスバー３５を第１のコネクタ３に向けて延ばしたので、電子部品３３で発生した熱をバスバー３５を通して、第１のコネクタ３に伝達し易くなる。第１のコネクタ３は、収容ケース２の開口部２Ａに配置されているので、結果的に電子部品３３の熱を外部に放出し易くなる。
【００３１】
なお、本発明は、実施の形態に限定されず、その趣旨を逸脱しない範囲で様々な変更が可能である。
【符号の説明】
【００３２】
１  電子制御装置
２  収容ケース
３，４  コネクタ
６  第１の窪み部（凹部）
７  第２の窪み部（凹部）
１０  第１の回路基板
１１  第２の回路基板
１１Ａ  切り欠き部
３２  背の高い電子部品
３３  背の低い電子部品
３５  バスバー
【図１】
2014086671.tif 000003
【図２】
2014086671.tif 000004
【図３】
2014086671.tif 000005
【図４】
2014086671.tif 000006